(57)【要約】【課題】配線受容溝からの配線部材の抜け外れを抑制すると共に配線部材の保持作業の作業性を向上させることが可能な遊技機の提供を目的とする。【解決手段】本発明のパチンコ遊技機１０は、ケーブル６０の中間部分を受容した配線受容溝５０の両端部に形成されて、配線受容溝５０内のケーブル６０を外部に排出可能な１対の溝端面開口５７，５７と、配線受容溝５０の一方の溝内側面５１から他方の溝内側面５２に向かって突出した配線規制突片５４と、配線受容溝５０の内面と配線規制突片５４とに囲まれ、ケーブル６０の中間部分を収容した配線収納空間５６と、配線規制突片５４の先端面５４Ｓと他方の溝内側面５２との間に設けられ、ケーブル６０を配線収納空間５６に収納するための配線挿入開口５５とを備え、１対の溝端面開口５７，５７を結ぶ溝貫通方向Ｌ１で配線挿入開口５５の一端から他端に向かって配線挿入開口５５の開口幅が徐々に狭くなるようにした。【選択図】図７
2013017567.tif 000002
【特許請求の範囲】
【請求項１】
電気的部品と、
前記電気的部品と別の前記電気的部品との間、又は、前記電気的部品の少なくとも２以上の位置の間を電気的に接続可能とする配線部材とを備えた遊技機において、
前記配線部材の少なくとも一部を受容可能とする配線受容溝を有するベース体と、
前記配線受容溝の一方の溝内側面から他方の溝内側面側に向かって突出しかつ前記配線受容溝の底部に対向した配線規制突片と、
前記配線受容溝の内面と前記配線規制突片とに囲まれ、前記配線部材の少なくとも一部を収容可能とした配線収納空間と、
前記配線規制突片のうち前記他方の溝内側面側の端面と前記他方の溝内側面との間に設けられ、前記配線部材を前記ベース体の外部から前記配線収納空間に収納するための配線挿入開口とを備え、
前記配線挿入開口の一端から他端に向かって、前記配線挿入開口の開口幅が狭くなるように、又は、前記配線挿入開口の一端から途中位置に向かって前記配線挿入開口の開口幅が狭くなるように、又は、前記配線挿入開口の両端から途中位置に向かって前記配線挿入開口の開口幅が狭くなるように構成したことを特徴とする遊技機。
【請求項２】
電気的部品と、
前記電気的部品と別の前記電気的部品との間、又は、前記電気的部品の少なくとも２以上の位置の間を電気的に接続可能とする配線部材とを備えた遊技機において、
前記配線部材の少なくとも一部を受容可能とする配線受容溝を有するベース体と、
前記配線受容溝の互いに対向する１対の溝内側面の各々から対向する前記溝内側面側に向けて突出しかつ前記配線受容溝の底部に対向した１対の配線規制突片と、
前記配線受容溝の内面と前記配線規制突片とに囲まれ、前記配線部材の少なくとも一部を収容可能とした配線収納空間と、
一方の前記配線規制突片のうち前記他方の溝内側面側の端面と、他方の前記配線規制突片のうち前記一方の溝内側面側の端面との間に設けられ、前記配線部材を前記ベース体の外部から前記配線収納空間に収納するための配線挿入開口とを備え、
前記配線挿入開口の一端から他端に向かって、前記配線挿入開口の開口幅が狭くなるように、又は、前記配線挿入開口の一端から途中位置に向かって前記配線挿入開口の開口幅が狭くなるように、又は、前記配線挿入開口の両端から途中位置に向かって前記配線挿入開口の開口幅が狭くなるように構成したことを特徴とする遊技機。
【請求項３】
電気的部品と、
前記電気的部品と別の前記電気的部品との間、又は、前記電気的部品の少なくとも２以上の位置の間を電気的に接続可能とする配線部材とを備えた遊技機において、
前記配線の少なくとも一部を受容可能とする配線受容溝を有するベース体と、
前記配線受容溝の両端部に形成されて、前記配線受容溝内の前記配線部材を外部に排出可能な１対の溝端開口と、
前記配線受容溝の一方の溝内側面から他方の溝内側面側に向かって突出しかつ前記配線受容溝の底部に対向した配線規制突片と、
前記配線受容溝の内面と前記配線規制突片とに囲まれ、前記配線部材の少なくとも一部を収容可能とする配線収納空間と、
前記配線規制突片のうち前記他方の溝内側面側の端面と前記他方の溝内側面との間に設けられ、前記配線部材を前記ベース体の外部から前記配線収納空間に収納するための配線挿入開口とを備え、
前記１対の溝端開口を結ぶ溝貫通方向で前記配線挿入開口の一端から他端に向かって、前記配線挿入開口の開口幅が狭くなるように、又は、前記溝貫通方向で前記配線挿入開口の一端から途中位置に向かって前記配線挿入開口の開口幅が狭くなるように、又は、前記溝貫通方向で前記配線挿入開口の両端から途中位置に向かって前記配線挿入開口の開口幅が狭くなるように構成したことを特徴とする遊技機。
【請求項４】
電気的部品と、
前記電気的部品と別の前記電気的部品との間、又は、前記電気的部品の少なくとも２以上の位置の間を電気的に接続可能とする配線部材とを備えた遊技機において、
前記配線の少なくとも一部を受容可能とする配線受容溝を有するベース体と、
前記配線受容溝の両端部に形成されて、前記配線受容溝内の前記配線部材を外部に排出可能な１対の溝端開口と、
前記配線受容溝の互いに対向する１対の溝内側面の各々から対向する前記溝内側面側に向けて突出しかつ前記配線受容溝の底部に対向した１対の配線規制突片と、
前記配線受容溝の内面と前記配線規制突片とに囲まれ、前記配線部材の少なくとも一部を収容可能とした配線収納空間と、
一方の前記配線規制突片のうち前記他方の溝内側面側の端面と他方の前記配線規制突片のうち前記一方の溝内側面側の端面との間に設けられ、前記配線部材を前記ベース体の外部から前記配線収納空間に収納するための配線挿入開口とを備え、
前記１対の溝端開口を結ぶ溝貫通方向で前記配線挿入開口の一端から他端に向かって、前記配線挿入開口の開口幅が狭くなるように、又は、前記溝貫通方向で前記配線挿入開口の一端から途中位置に向かって前記配線挿入開口の開口幅が狭くなるように、又は、前記溝貫通方向で前記配線挿入開口の両端から途中位置に向かって前記配線挿入開口の開口幅が狭くなるように構成したことを特徴とする遊技機。
【請求項５】
前記ベース体は、遊技機内の空間を第１領域と第２領域とに仕切る仕切盤であって、
前記配線受容溝は、前記仕切盤の側縁部を陥没させてなり、
前記配線部材は、前記配線受容溝を通して前記第１領域に配置された前記電気的部品と前記第２領域に配置された前記電気的部品の間を電気的に接続するように構成されたことを特徴とする請求項１乃至４の何れか１の請求項に記載の遊技機。
【請求項６】
前記配線挿入開口の開口幅が、前記配線挿入開口の一端から他端側に向かって狭くなるように構成されると共に、前記配線収納空間に収納された前記配線部材が前記配線規制突片により覆われる面積が、前記配線挿入開口の一端から他端側に向かって大きくなるように構成したことを特徴とする請求項１乃至５の何れか１の請求項に記載の遊技機。
【請求項７】
前記配線挿入開口の最大幅よりも、前記配線受容溝の底部における前記１対の溝内側面の間隔の方が大きくなるように構成したことを特徴とする請求項１乃至６の何れか１の請求項に記載の遊技機。
【請求項８】
前記配線挿入開口の開口幅が、前記配線挿入開口の一端から他端側に向かって狭くなるように構成されると共に、
前記溝貫通方向で前記配線規制突片より前記配線受容溝を大きくして、前記配線受容溝のうち前記溝貫通方向における一部分のみに前記配線規制突片を配置し、前記配線規制突片が配置されずに前記配線受容溝のみで形成される挿入空間を設けたことを特徴とする請求項３又は４に記載の遊技機。
【請求項９】
前記配線挿入開口の開口幅は、前記配線挿入開口における幅広側の端部から幅狭側に向かって前記配線部材を挿入し易くする幅に形成したことを特徴とする請求項１乃至８の何れか１の請求項の記載の遊技機。
【発明の詳細な説明】
【技術分野】
【０００１】
本発明は、遊技機に関する。
【背景技術】
【０００２】
この種の従来の遊技機としては、遊技機の後面に備えた電気的部品同士の間をケーブルによって接続したものが知られている（例えば、特許文献１参照）。この遊技機では、ケーブルの中間部分を遊技機の後面側に開放した配線受容溝によって保持していた。
【先行技術文献】
【特許文献】
【０００３】
【特許文献１】特開平２００１−２８６６０６号公報（第４図）
【発明の概要】
【発明が解決しようとする課題】
【０００４】
ところが、上述した従来の遊技機では、例えば、ケーブル長が長すぎた場合に、ケーブルの中間部分が浮き上がって配線受容溝から抜けてしまい、その浮き上がった中間部分が遊技機後面の凹凸に引っ掛かったり、隙間に入り込むことがあった。このような問題に対し、ケーブルの中間部分を結束バンドによって遊技機の後面に保持する構成が考えられるが、このような構成ではケーブルの保持作業に手間が掛かるという問題があった。
【０００５】
本発明は、上記事情に鑑みてなされたものであって、配線受容溝からの配線部材の抜け外れを抑制すると共に配線部材の保持作業の作業性を向上させることが可能な遊技機の提供を目的とする。
【課題を解決するための手段】
【０００６】
上記目的を達成するためになされた請求項１の発明に係る遊技機は、電気的部品と、電気的部品と別の電気的部品との間、又は、電気的部品の少なくとも２以上の位置の間を電気的に接続可能とする配線部材とを備えた遊技機において、配線部材の少なくとも一部を受容可能とする配線受容溝を有するベース体と、配線受容溝の一方の溝内側面から他方の溝内側面側に向かって突出しかつ配線受容溝の底部に対向した配線規制突片と、配線受容溝の内面と配線規制突片とに囲まれ、配線部材の少なくとも一部を収容可能とした配線収納空間と、配線規制突片のうち他方の溝内側面側の端面と他方の溝内側面との間に設けられ、配線部材をベース体の外部から配線収納空間に収納するための配線挿入開口とを備え、配線挿入開口の一端から他端に向かって、配線挿入開口の開口幅が狭くなるように、又は、配線挿入開口の一端から途中位置に向かって配線挿入開口の開口幅が狭くなるように、又は、配線挿入開口の両端から途中位置に向かって配線挿入開口の開口幅が狭くなるように構成したところに特徴を有する。
【０００７】
請求項２の発明に係る遊技機は、電気的部品と、電気的部品と別の電気的部品との間、又は、電気的部品の少なくとも２以上の位置の間を電気的に接続可能とする配線部材とを備えた遊技機において、配線部材の少なくとも一部を受容可能とする配線受容溝を有するベース体と、配線受容溝の互いに対向する１対の溝内側面の各々から対向する溝内側面側に向けて突出しかつ配線受容溝の底部に対向した１対の配線規制突片と、配線受容溝の内面と配線規制突片とに囲まれ、配線部材の少なくとも一部を収容可能とした配線収納空間と、一方の配線規制突片のうち他方の溝内側面側の端面と、他方の配線規制突片のうち一方の溝内側面側の端面との間に設けられ、配線部材をベース体の外部から配線収納空間に収納するための配線挿入開口とを備え、配線挿入開口の一端から他端に向かって、配線挿入開口の開口幅が狭くなるように、又は、配線挿入開口の一端から途中位置に向かって配線挿入開口の開口幅が狭くなるように、又は、配線挿入開口の両端から途中位置に向かって配線挿入開口の開口幅が狭くなるように構成したところに特徴を有する。
【０００８】
請求項３の発明に係る遊技機は、電気的部品と、電気的部品と別の電気的部品との間、又は、電気的部品の少なくとも２以上の位置の間を電気的に接続可能とする配線部材とを備えた遊技機において、配線の少なくとも一部を受容可能とする配線受容溝を有するベース体と、配線受容溝の両端部に形成されて、配線受容溝内の配線部材を外部に排出可能な１対の溝端開口と、配線受容溝の一方の溝内側面から他方の溝内側面側に向かって突出しかつ配線受容溝の底部に対向した配線規制突片と、配線受容溝の内面と配線規制突片とに囲まれ、配線部材の少なくとも一部を収容可能とする配線収納空間と、配線規制突片のうち他方の溝内側面側の端面と他方の溝内側面との間に設けられ、配線部材をベース体の外部から配線収納空間に収納するための配線挿入開口とを備え、１対の溝端開口を結ぶ溝貫通方向で配線挿入開口の一端から他端に向かって、配線挿入開口の開口幅が狭くなるように、又は、溝貫通方向で配線挿入開口の一端から途中位置に向かって配線挿入開口の開口幅が狭くなるように、又は、溝貫通方向で配線挿入開口の両端から途中位置に向かって配線挿入開口の開口幅が狭くなるように構成したところに特徴を有する。
【０００９】
請求項４の発明に係る遊技機は、電気的部品と、電気的部品と別の電気的部品との間、又は、電気的部品の少なくとも２以上の位置の間を電気的に接続可能とする配線部材とを備えた遊技機において、配線の少なくとも一部を受容可能とする配線受容溝を有するベース体と、配線受容溝の両端部に形成されて、配線受容溝内の配線部材を外部に排出可能な１対の溝端開口と、配線受容溝の互いに対向する１対の溝内側面の各々から対向する溝内側面側に向けて突出しかつ配線受容溝の底部に対向した１対の配線規制突片と、配線受容溝の内面と配線規制突片とに囲まれ、配線部材の少なくとも一部を収容可能とした配線収納空間と、一方の配線規制突片のうち他方の溝内側面側の端面と他方の配線規制突片のうち一方の溝内側面側の端面との間に設けられ、配線部材をベース体の外部から配線収納空間に収納するための配線挿入開口とを備え、１対の溝端開口を結ぶ溝貫通方向で配線挿入開口の一端から他端に向かって、配線挿入開口の開口幅が狭くなるように、又は、溝貫通方向で配線挿入開口の一端から途中位置に向かって配線挿入開口の開口幅が狭くなるように、又は、溝貫通方向で配線挿入開口の両端から途中位置に向かって配線挿入開口の開口幅が狭くなるように構成したところに特徴を有する。
【００１０】
なお、請求項１乃至４の発明における「配線受容溝」は、その凹みの方向を特に限定するものではなく、上下方向、左右方向、前後方向、その他の方向に凹んでいるものが含まれ、「配線受容溝の底部」とは、これら配線受容溝における凹みの奥部のことを意味する。即ち、「配線受容溝の底部」とは、上下方向における下の部分のみを意味するものではない。
【００１１】
請求項５の発明は、請求項１乃至４の何れか１の請求項に記載の遊技機において、ベース体は、遊技機内の空間を第１領域と第２領域とに仕切る仕切盤であって、配線受容溝は、仕切盤の側縁部を陥没させてなり、配線部材は、配線受容溝を通して第１領域に配置された電気的部品と第２領域に配置された電気的部品の間を電気的に接続するように構成されたところに特徴を有する。
【００１２】
請求項６の発明は、請求項１乃至５の何れか１の請求項に記載の遊技機において、配線挿入開口の開口幅が、配線挿入開口の一端から他端側に向かって狭くなるように構成されると共に、配線収納空間に収納された配線部材が配線規制突片により覆われる面積が、配線挿入開口の一端から他端側に向かって大きくなるように構成したところに特徴を有する。
【００１３】
請求項７の発明は、請求項１乃至６の何れか１の請求項に記載の遊技機において、配線挿入開口の最大幅よりも、配線受容溝の底部における１対の溝内側面の間隔の方が大きくなるように構成したところに特徴を有する。
【００１４】
請求項８の発明は、請求項３又は４に記載の遊技機において、配線挿入開口の開口幅が、配線挿入開口の一端から他端側に向かって狭くなるように構成されると共に、溝貫通方向で配線規制突片より配線受容溝を大きくして、配線受容溝のうち溝貫通方向における一部分のみに配線規制突片を配置し、配線規制突片が配置されずに配線受容溝のみで形成される挿入空間を設けたところに特徴を有する。
【００１５】
請求項９の発明は、請求項１乃至８の何れか１の請求項の記載の遊技機において、配線挿入開口の開口幅は、配線挿入開口における幅広側の端部から幅狭側に向かって配線部材を挿入し易くする幅に形成したところに特徴を有する。
【発明の効果】
【００１６】
［請求項１の発明］
請求項１の発明によれば、配線受容溝の一方の溝内側面から他方の溝内側面側に向かって突出しかつ配線受容溝の底部に対向した配線規制突片によって、配線部材の少なくとも一部が配線受容溝（配線収納空間）から抜け難くなる。また、配線挿入開口の開口幅を、配線挿入開口の一端から他端に向かうに従って狭くなるように、又は、配線挿入開口の一端から途中位置に向かうに従って狭くなるように、又は、配線挿入開口の両端から途中位置に向かうに従って狭くなるようにしたことで、配線部材の少なくとも一部を比較的容易に配線受容溝に受容させることができる。具体的には、配線部材をベース体の外部から配線挿入開口に挿入する際に、開口幅の広い側から狭い側へと配線部材を押し込むことで、配線部材を円滑に配線受容溝に挿入することができる。即ち、本発明によれば、配線受容溝からの配線部材の抜け外れを抑制することができると共に、配線部材の保持作業の作業性が向上する。
【００１７】
［請求項２の発明］
請求項２の発明によれば、互いに対向する１対の溝内側面の各々から対向する溝内側面側に向けて突出しかつ配線受容溝の底部に対向した１対の配線規制突片によって、配線部材の少なくとも一部が配線受容溝（配線収納空間）から抜け難くなる。また、配線挿入開口の開口幅を、配線挿入開口の一端から他端に向かうに従って狭くなるように、又は、配線挿入開口の一端から途中位置に向かうに従って狭くなるように、又は、配線挿入開口の両端から途中位置に向かうに従って狭くなるようにしたことで、配線部材の少なくとも一部を比較的容易に配線受容溝に受容させることができる。具体的には、配線部材をベース体の外部から配線挿入開口に挿入する際に、開口幅の広い側から狭い側へと配線部材を押し込むことで、配線部材を円滑に配線受容溝に挿入することができる。即ち、本発明によれば、配線受容溝からの配線部材の抜け外れを抑制することができると共に、配線部材の保持作業の作業性が向上する。
【００１８】
［請求項３の発明］
請求項３の発明によれば、配線受容溝の一方の溝内側面から他方の溝内側面側に向かって突出しかつ配線受容溝の底部に対向した配線規制突片によって、配線部材の少なくとも一部が配線受容溝（配線収納空間）から抜け難くなる。また、配線挿入開口の開口幅を、配線受容溝における溝貫通方向の一端から他端に向かうに従って狭くなるように、又は、溝貫通方向の一端から途中位置に向かうに従って狭くなるように、又は、溝貫通方向の両端から途中位置に向かうに従って狭くなるようにしたことで、配線部材の少なくとも一部を比較的容易に配線受容溝に受容させることができる。具体的には、配線部材をベース体の外部から配線挿入開口に挿入する際に、開口幅の広い側から狭い側へと配線部材を押し込むことで、配線部材を円滑に配線受容溝に挿入することができる。即ち、本発明によれば、配線受容溝からの配線部材の抜け外れを抑制することができると共に、配線部材の保持作業の作業性が向上する。
【００１９】
［請求項４の発明］
請求項４の発明によれば、互いに対向する１対の溝内側面の各々から対向する溝内側面側に向けて突出しかつ配線受容溝の底部に対向した１対の配線規制突片によって、配線部材の少なくとも一部が配線受容溝（配線収納空間）から抜け難くなる。また、配線挿入開口の開口幅を、配線受容溝における溝貫通方向の一端から他端に向かうに従って狭くなるように、又は、溝貫通方向の一端から途中位置に向かうに従って狭くなるように、又は、溝貫通方向の両端から途中位置に向かうに従って狭くなるようにしたことで、配線部材の少なくとも一部を比較的容易に配線受容溝に受容させることができる。具体的には、配線部材をベース体の外部から配線挿入開口に挿入する際に、開口幅の広い側から狭い側へと配線部材を押し込むことで、配線部材を円滑に配線受容溝に挿入することができる。即ち、本発明によれば、配線受容溝からの配線部材の抜け外れを抑制することができると共に、配線部材の保持作業の作業性が向上する。
【００２０】
［請求項５の発明］
請求項５の発明によれば、第１領域に配置された電気的部品と第２領域に配置された電気的部品との間を配線部材で接続する場合、その配線部材の引き回し経路の途中に位置する仕切盤の側縁部を陥没させて配線受容溝とすることができる。
【００２１】
［請求項６の発明］
請求項６の発明によれば、配線挿入開口の他端側から自然に配線部材が抜けることを抑制することができる。
【００２２】
［請求項７の発明］
請求項７の発明によれば、配線収納空間に配線部材の少なくとも一部を余裕を持って収容することができる。
【００２３】
［請求項８の発明］
本発明における配線規制突片は、溝貫通方向の全体に配置してもよいし、請求項８の発明のように、溝貫通方向における一部分のみに配置してもよい。配線規制突片が配置されていない挿入空間で、配線部材の側面を配線受容溝の底部に押し付けて位置決めした状態で、配線部材を配線挿入開口の幅広側から幅狭側に向けて挿入していくことができるから、配線部材を配線挿入開口に挿入し易くなる。
【図面の簡単な説明】
【００２４】
【図１】本発明の第１実施形態に係るパチンコ遊技機の正面図
【図２】遊技板アッシの分解斜視図
【図３】遊技板アッシの分解斜視図
【図４】裏セット盤の正面図
【図５】裏セット盤の背面図
【図６】遊技板アッシの分解平面図
【図７】遊技板アッシの平面図
【図８】遊技板アッシの断面図
【図９】配線受容溝の（Ａ）平面図、（Ｂ）正面図
【図１０】（Ａ）配線受容溝にハーネスを挿入する直前の斜視図、（Ｂ）配線受容溝のの一部にハーネスを受容させた状態の斜視図
【図１１】（Ａ）配線受容溝にハーネスの中間部分が受容させた状態の斜視図、（Ｂ）ハーネスの中間部分を配線収容空間に収容した状態の斜視図
【図１２】ケーブルが挿入される過程の配線受容溝の側断面図
【図１３】第１実施形態の変形例に係る配線受容溝の平面図
【図１４】第２実施形態に係る配線受容溝の（Ａ）平面図、（Ｂ）正面図
【図１５】第２実施形態の変形例に係る配線受容溝の平面図
【図１６】第２実施形態の変形例に係る配線受容溝の（Ａ）平面図、（Ｂ）正面図
【図１７】変形例に係る配線受容溝の平面図
【図１８】変形例に係る配線受容溝の平面図
【図１９】変形例に係る配線受容溝の平面図
【図２０】変形例に係る配線受容溝の正面図
【図２１】変形例に係る配線受容溝の斜視図
【図２２】変形例に係る配線受容溝の正面図
【図２３】変形例に係る配線受容溝の斜視図
【図２４】変形例に係る配線受容溝の斜視図
【発明を実施するための形態】
【００２５】
［第１実施形態］
以下、本発明を適用したパチンコ遊技機１０に係る第１実施形態を、図１〜図１２に基づいて説明する。パチンコ遊技機１０は、遊技板１１に各種部品を取り付けてなる遊技板アッシ２０（図２参照）と、その遊技板アッシ２０を保持した遊技機本体９０とから構成されている。
【００２６】
図１に示すように、パチンコ遊技機１０に備えた遊技板１１の前面には、ガイドレール１１Ａで囲まれたほぼ円形の遊技領域Ｒ１が形成されている。遊技領域Ｒ１には、複数の入賞口とアウト口とが備えられており、操作ノブ１８の操作によって遊技領域Ｒ１に打ち込まれた遊技球が、これら入賞口又はアウト口の何れかに入球するようになっている。
【００２７】
図２に示すように、遊技板１１の中央には、遊技板開口部１２が貫通形成されており、その遊技板開口部１２に遊技板１１の裏側から表示装置３０が対向配置されている。表示装置３０は、液晶モジュール（例えば、ＴＦＴ−ＬＣＤモジュール）で構成されており、その前面に備えた表示画面３１が遊技板開口部１２に臨んでいる。
【００２８】
図１に示すように、遊技板１１の前面には、表示装置３０の表示画面３１を囲むように表示電飾枠１３が取り付けられている。表示電飾枠１３には、図示しないＬＥＤ等の発光素子が内蔵されている。表示電飾枠１３は、表示装置３０で表示される演出内容に対応したデザイン形状をなしており、その中央部には、略矩形状の表示窓１４が形成されている。また、表示電飾枠１３は、遊技板１１の前面側から遊技板開口部１２の内側に嵌め込まれて、その周縁部が遊技板１１の前面にビス止めされている（図７参照）。
【００２９】
遊技板１１の裏面には、裏セット盤４０が重ねて固定されている。裏セット盤４０は、遊技板１１の遊技板開口部１２と対向した主板壁４１と、その主板壁４１の外縁部から遊技板１１に向かって（前方に）起立した囲壁４２とを有し、前後方向で扁平な箱形構造をなしている。裏セット盤４０の前端部には、複数の固定板４３，４３が一体形成されており、これらが遊技板１１の裏面に宛われている（図４参照）。そして、固定板４３，４３を貫通した複数のビスにより裏セット盤４０が遊技板１１の裏面に固定されている（図７参照）。
【００３０】
裏セット盤４０の主板壁４１には、矩形状のセット盤開口部４４が貫通形成されている。主板壁４１の裏面には、前記した表示装置３０が重ねて固定されており（図７参照）、セット盤開口部４４に、表示装置３０の表示画面３１が対向配置されている。これにより、表示画面３１が、表示窓１４、遊技板開口部１２及びセット盤開口部４４を通して、遊技板１１の前方から視認可能となっている。
【００３１】
パチンコ遊技機１０のうち、表示装置３０よりさらに後側には、パチンコ遊技機１０の全体を制御する主制御回路や、表示装置３０を制御する表示制御回路等の複数の制御回路が備えられている。これら複数の各制御回路は、遊技機本体９０に固定されており、他の制御回路又はパチンコ遊技機１０に備えた駆動装置（例えば、モータやスピーカ）とそれぞれケーブル接続されている。
【００３２】
さて、上記した複数の制御回路には、表示電飾枠１３に備えたＬＥＤを点灯制御するための発光制御回路１６が含まれており、その発光制御回路１６と表示電飾枠１３との間がケーブル６０によって電気接続されている（図７参照）。なお、表示電飾枠１３と発光制御回路１６は本発明の「電気的部品」に相当し、ケーブル６０は本発明の「配線部材」に相当する。また、パチンコ遊技機１０の前後方向で表示電飾枠１３と発光制御回路１６との間に配置された裏セット盤４０は、本発明の「仕切盤」に相当する。そして、裏セット盤４０を挟んだ前後何れか一方の領域が本発明の「第１領域」に相当し、他方の領域が本発明の「第２領域」に相当する。
【００３３】
図６に示すように、ケーブル６０は両端部にコネクタ６２，６２を備えており、各コネクタ６２，６２がそれぞれ、発光制御回路１６の前面に備えたコネクタ１７と、表示電飾枠１３の裏面に備えたコネクタ１５とに接続されている（図７参照）。図７及び図８に示すように、ケーブル６０は、表示電飾枠１３の後面から遊技板開口部１２の内側を通り、裏セット盤４０及び表示装置３０の外側を通って発光制御回路１６に接続されている。
【００３４】
ここで、上記したケーブル６０の引き回し経路の途中には、ケーブル６０の中間部分を受容する配線受容溝５０が形成されている。配線受容溝５０は、本発明の「ベース体」及び「仕切盤」としての裏セット盤４０の囲壁４２の上辺に一体形成されている（図４及び図７参照）。詳細には、配線受容溝５０は、裏セット盤４０の囲壁４２における平坦な上面４２Ｊを凹状に陥没させて、主板壁４１と直交した前後方向（ケーブル６０の引き回し方向。図７及び図８参照）に貫通しかつ囲壁４２と直交した上方に開放した溝形構造をなしている（図９（Ｂ）参照）。また、囲壁４２のうち、配線受容溝５０の前側部分には、囲壁４２の前端部を矩形状に切除した切欠部４５が形成されている（図６及び図９（Ａ）参照）。
【００３５】
配線受容溝５０は、主板壁４１に対して直角でかつ互いに平行な１対の溝内側面５１，５２と、それら溝内側面５１，５２の下端部同士を連絡した平面状の溝底部５３とを有しており、１対の溝内側面５１，５２は、裏セット盤４０の囲壁４２の上面４２Ｊ及び溝底部５３と直角に交差している（図９（Ｂ）参照）。
【００３６】
１対の溝内側面５１，５２のうち、一方の溝内側面５１から他方の溝内側面５２に向かって板状の配線規制突片５４が張り出している。配線規制突片５４のうち他方の溝内側面５２側の先端面５４Ｓは、他方の溝内側面５２に対して隙間を空けて突き合わされており、その隙間が、本発明に係る配線挿入開口５５となっている（図９（Ａ）参照）。また、配線規制突片５４は、溝底部５３と上下方向で対向しており、配線受容溝５０の内面（溝内側面５１，５２と溝底部５３）と配線規制突片５４とで囲まれた部分が、ケーブル６０の中間部分を収容する配線収納空間５６となっている。
【００３７】
配線規制突片５４は、一方の溝内側面５１の上端縁から張り出しており、配線規制突片５４の上面と裏セット盤４０の囲壁４２の上面４２Ｊとは面一になっている。また、配線受容溝５０の前後方向の両端部に形成された１対の溝端開口５７，５７（図８参照）を結ぶ溝貫通方向Ｌ１（ケーブル６０の引き回し方向）で、配線規制突片５４より配線受容溝５０の方が大きくなっており、配線規制突片５４は、溝貫通方向Ｌ１で発光制御回路１６側に偏在して設けられている。換言すれば、配線挿入開口５５における最大幅部が、前側の溝端開口５７から後方にオフセットした位置に配置されている。そのため、配線受容溝５０のうち表示電飾枠１３側の部分には、溝底部５３が配線規制突片５４で覆われずに露出した本発明に係る挿入空間５９が形成されている（図８及び図９参照）。
【００３８】
図９（Ａ）に示すように、配線挿入開口５５の開口幅は、溝貫通方向Ｌ１（ケーブル６０の引き回し方向）で配線挿入開口５５の一端から他端に向かうに従って徐々に狭くなるように構成されている。換言すれば、配線受容溝５０に溝貫通方向Ｌ１と平行な状態で受容されたケーブル６０が配線規制突片５４によって覆われる面積が、溝貫通方向Ｌ１で配線挿入開口５５の一端から他端に向かうに従って徐々に大きくなるように構成されている。本実施形態では、配線挿入開口５５のうち、表示電飾枠１３側の端部から発光制御回路１６側の端部に向かって配線挿入開口５５の開口幅が徐々に狭くなるように構成されている。これは、配線規制突片５４の先端面５４Ｓを、溝貫通方向Ｌ１（他方の溝内側面５２）に対して斜めにすることで形成されている。そして、配線挿入開口５５の最大幅はケーブル６０の最大外径より大きく、配線挿入開口５５の最小幅はケーブル６０の最大外径よりも小さくなっている。これにより、配線挿入溝５０に受容されたケーブル６０が自然に（故意に取り外そうとしない限り）抜けないようになっている。なお、ケーブル６０がどのような状態で配線収容溝５０に収容されても配線規制突片５４に当接するように、配線挿入開口５５の開口幅を設定しておくことで、ケーブル６０をより抜け難くすることが可能である。
【００３９】
また、本実施形態では、配線挿入開口５５の最大幅よりも、配線受容溝５０の横幅（溝内側面５１，５２の間隔）の方が大きくなっている。これにより、配線収納空間５６にケーブル６０の中間部分を余裕を持って収容することができる。また、本実施形態では、配線収納空間５６に１本のケーブル６０しか収容していないが、複数本のケーブルを収容することも可能である。
【００４０】
本実施形態の構成は以上である。本実施形態のパチンコ遊技機１０は以下のようにして組み立てられる。まず、表示電飾枠１３のコネクタ１５にケーブル６０のコネクタ６２を接続しておき、この表示電飾枠１３を遊技板１１の前面側から遊技板開口部１２に嵌め込んでビスで固定する。次に、裏セット盤４０を遊技板１１の裏面に宛がってビスで固定する。このとき、ケーブル６０を遊技板開口部１２から裏側に通して、裏セット盤４０の囲壁４２の上辺に形成された切欠部４５から裏セット盤４０の外側に引き出しておく。
【００４１】
裏セット盤４０を遊技板１１の裏面に固定したら、ケーブル６０の中間部分をその側面側から配線挿入開口５５に押し込んで配線受容溝５０内に受容させる。具体的には、図１０（Ａ）から同図（Ｂ）さらに図１１（Ａ）への変化に示すように、ケーブル６０の中間部分の側面を配線挿入開口５５に重ねて、配線挿入開口５５における幅広側の端部から幅狭側の端部へと向かって徐々にケーブル６０をその側面側から押し込んでいく。このとき、配線受容溝５０のうち、配線規制突片５４によって覆われていない挿入空間５９の溝底部５３にケーブル６０の側面を押し付けて位置決めした状態で挿入作業を行うことができ（図１２参照）かつ、配線規制突片５４の先端面５４Ｓがテーパー状になっているので、配線挿入開口５５の幅広側から幅狭側へとスムーズにケーブル６０を押し込むことができる。そして、図１１（Ａ）に示すようにケーブル６０の中間部分を完全に配線受容溝５０に押し込むことができたら、同図（Ｂ）への変化に示すように、ケーブル６０の中間部分を配線規制突片５４の下側の配線収納空間５６に移動させて、ケーブル６０の中間部分が配線受容溝５０から外れないように抜け止めしておく。この状態で、表示装置３０を裏セット盤４０の裏面に固定すると、遊技板アッシ２０が完成する。
【００４２】
次に、遊技板アッシ２０を遊技機本体９０に取り付ける。このとき、ケーブル６０の中間部分は、配線規制突片５４によって配線受容溝５０に抜け止めされた状態で保持されているから、ケーブル６０がぶらついて、遊技機本体９０の凹凸に引っ掛かったり、遊技機本体９０と遊技板アッシ２０との間の隙間に入り込むことを防ぐことができる。
【００４３】
遊技板アッシ２０を遊技機本体９０に取り付けたら、ケーブル６０を遊技機本体９０に固定された発光制御回路１６に接続する。具体的には、配線受容溝５０に受容されたケーブル６０を発光制御回路１６側に引っ張って未接続のコネクタ６２を発光制御回路１６のコネクタ１７に接続する。このとき、ケーブル６０の中間部分が配線受容溝５０に保持された状態で維持されるから、ケーブル６０の中間部分が遊技板アッシ２０や遊技機本体９０の凹凸に引っ掛かることが無く、発光制御回路１６とケーブル６０との接続を比較的容易に行うことができる。
【００４４】
このように本実施形態によれば、配線受容溝５０の一方の溝内側面５１から他方の溝内側面５２に向かって突出しかつ配線受容溝５０の溝底部５３に対向した板状の配線規制突片５４によって、ケーブル６０の中間部分が配線受容溝５０（配線収納空間５６）から抜け難くされる。また、配線挿入開口５５の開口幅を、溝貫通方向Ｌ１で配線受容溝５０の一端から他端に向かうに従って徐々に狭くなるようにしたことで、ケーブル６０の中間部分を比較的容易に配線受容溝５０に受容させることができる。具体的には、ケーブル６０をその側面から配線挿入開口５５に挿入する際に、開口幅の広い側では比較的容易にケーブル６０を挿入することができ、これを端緒にして、開口幅の狭い側へと徐々にケーブル６０を押し込んでいくことができるから、ケーブル６０を円滑に配線受容溝５０に挿入することができる。即ち、本実施形態によれば、配線受容溝５０からのケーブル６０の中間部分の抜け外れを抑制すると共に、ケーブル６０の保持作業の作業性が向上する。
【００４５】
また、ケーブル６０を配線受容溝５０から取り外す場合も、配線挿入開口５５の開口幅の広い側では比較的容易にケーブル６０を引き出すことができ、これを端緒にして、徐々に開口幅の狭い側からもケーブル６０を引き出すことができるから、円滑に取り外し作業を行うことができる。
【００４６】
ここで、本実施形態の変形例として、例えば、図１３に示すように、配線規制突片５４の先端面５４Ｓを丸みを帯びて湾曲させた形状としてもよい。この構成により、ケーブル６０を挿入する際に、配線規制突片５４の角でケーブル６０を傷つける虞を低減することが可能である。
【００４７】
［第２実施形態］
本発明の第２実施形態は、図１４に示されている。同図に示すように、本実施形態では、１対の溝内側面の両方から配線規制突片５４，５４が張り出しており、それら１対の配線規制突片５４，５４の先端同士が隙間を空けて突き合わされている。そして、この隙間が配線挿入開口５５となっている。また、本実施形態では、一方の溝内側面５１から突出した配線規制突片５４の先端面５４Ｓが、溝貫通方向Ｌ１に対して斜めであるのに対し、他方の溝内側面５２から突出した配線規制突片５４の先端面５４Ｓが、溝貫通方向と平行となっている。これにより、配線挿入開口５５の開口幅は、溝貫通方向Ｌ１の一端から他端に向かって徐々に狭くなるように構成されている。その他の構成は、上記第１実施形態と同じであるので、重複する説明は省略する。本実施形態によっても、上記第１実施形態と同等の効果を奏する。
【００４８】
ここで、本実施形態の変形例として、例えば、図１５に示すように、配線挿入開口５５の少なくとも一部で、１対の配線規制突片５４，５４の先端面５４Ｓ，５４Ｓを溝貫通方向Ｌ１に対して同じ側に傾斜させて、配線挿入開口５５の開口幅が溝貫通方向Ｌ１で徐々に狭くなるように構成してもよい。このような構成とすると、例えば、ケーブル６０の中間部分が、配線受容溝５０の溝貫通方向Ｌ１と略平行な状態で配線収納空間５６に収容されている場合に、配線挿入開口５５から配線受容溝５０の外側にケーブル６０が自然に抜け外れることを抑制することができる。
【００４９】
また、図１６に示すように、１対の配線規制突片５４，５４の先端面５４Ｓ，５４Ｓを、溝貫通方向Ｌ１に対して互いに逆側に傾斜させて、溝貫通方向Ｌ１で配線挿入開口５５の開口幅が一端から他端に向かって徐々に狭くなるように構成してもよい。
【００５０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５１】
（１）上記第１実施形態では、溝貫通方向Ｌ１で配線挿入開口５５の一端から他端に向かって、配線挿入開口５５の開口幅が徐々に狭くなるように構成されていたが、図１７（Ａ）に示すように、溝貫通方向Ｌ１で配線挿入開口５５の一端から中間位置に向かって配線挿入開口５５の開口幅が徐々に狭くなるようにしてもよいし、同図（Ｂ）に示すように、溝貫通方向Ｌ１で配線挿入開口５５の両端から中間位置に向かって配線挿入開口５５の開口幅が徐々に狭くなるように構成してもよい。
【００５２】
（２）上記第２実施形態では、溝貫通方向Ｌ１で配線挿入開口５５の一端から他端に向かって、配線挿入開口５５の開口幅が徐々に狭くなるように構成されていたが、図１８（Ａ）に示すように、溝貫通方向Ｌ１で配線挿入開口５５の一端から中間位置に向かって配線挿入開口５５の開口幅が徐々に狭くなるようにしてもよいし、同図（Ｂ）に示すように、溝貫通方向Ｌ１で配線挿入開口５５の両端から中間位置に向かって配線挿入開口５５の開口幅が徐々に狭くなるように構成してもよい。
【００５３】
（３）さらに、図１９（Ａ）及び同図（Ｂ）に示すように、１対の配線規制突片５４，５４の先端面５４Ｓ，５４Ｓの間に形成された配線挿入開口５５を、溝貫通方向Ｌ１に対して蛇行させてもよい。このような構成とすると、例えば、ケーブル６０の中間部分が、配線受容溝５０の溝貫通方向Ｌ１と略平行な状態で配線収納空間５６に収容されている場合に、配線挿入開口５５から配線受容溝５０の外側にケーブル６０が自然に抜け外れることを抑制することができる。
【００５４】
（４）上記第１実施形態では、配線規制突片５４の先端面５４Ｓが突き合わされた他方の溝内側面５２が、溝底部５３及び囲壁４２の上面４２Ｊに対して直角になっていたが、図２０（Ａ）に示すように、溝底部５３及び囲壁４２の上面４２Ｊと、他方の溝内側面５２とがなす角度θ１が鋭角になるように構成してもよい。このようにすれば、他方の溝内側面５２と配線規制突片５４とによって、配線受容溝５０に受容されたケーブル６０の抜け止めを行うことができる。
【００５５】
（５）また、図２０（Ｂ）に示すように、溝底部５３及び囲壁４２の上面４２Ｊと、他方の溝内側面５２とがなす角度θ１が鈍角になるように構成してもよい。このようにすれば、配線挿入開口５５からケーブル６０を挿入したときに、他方の溝内側面５２によってケーブル６０を配線収納空間５６に向けて案内することができる。
【００５６】
（６）上記第１及び第２実施形態では、裏セット盤４０の囲壁４２の上辺に上下方向に凹んだ配線受容溝５０を設けていたが、例えば、囲壁４２の左右の側辺に水平方向に凹んだ配線受容溝５０を設けてもよい。また、例えば、裏セット盤４０の主板壁４１に、前後方向に凹んだ配線受容溝５０を設けてもよい。また、配線受容溝５０は、ケーブル６０の引き回し経路の途中にある裏セット盤４０以外の遊技機構成部品に設けてもよい。
【００５７】
（７）上記第１及び第２実施形態では、裏セット盤４０の囲壁４２の一部を内側に陥没させて配線受容溝５０を形成していたが、図２１に示すように、囲壁４２や主板壁４１より外側に配線受容溝５０を設けてもよい。
【００５８】
（８）上記第１及び第２実施形態では、ケーブル６０の中間部分の１箇所を配線受容溝５０に受容させるようにしていたが、配線受容溝５０をケーブル６０の引き回し経路の途中の複数箇所に設けて、ケーブル６０の中間部分の複数箇所を複数の配線受容溝５０に受容させてもよい。
【００５９】
（９）上記第１及び第２実施形態では、電気的部品（表示電飾枠１３）と別の電気的部品（発光制御回路１６）との間を接続した配線部材（ケーブル６０）を配線受容溝５０で受容保持していたが、電気的部品の少なくとも２以上の位置の間を電気的に接続した配線部材（ケーブル）の中間部分を、上記した配線受容溝５０で受容保持してもよい。
【００６０】
（１０）上記第１実施形態において、配線規制突片５４は、配線受容溝５０における深さ方向の途中位置から突出していてもよい（図２２（Ａ）参照）。また、図２２（Ｂ）に示すように、一方の溝内側面５１から突出した配線規制突片５４の先端面５４Ｓと、他方の溝内側面５２から突出した配線規制突片５４の先端面５４Ｓとを、配線受容溝５０の深さ方向でずらして配置してもよい。
【００６１】
（１０）上記第１及び第２実施形態では、配線受容溝５０の溝底部５３が平面状をなしていたが、溝底部５３を、配線規制突片５４に向かって盛り上がった山形の湾曲面、又は、配線規制突片５４から離れるように膨出した谷形の湾曲面で構成してもよい。
【００６２】
（１１）上記第１及び第２実施形態では、配線受容溝５０の両端に溝端開口５７，５７が形成されていたが、例えば、図２３に示すように、配線受容溝５０のうち、配線挿入開口５５の幅広側の溝端開口を壁部５８によって閉塞して、配線挿入開口５５の幅狭側のみに溝端開口５７を設けてもよい。また、図２４（Ａ）に示すように、配線挿入開口５５の幅狭側の溝端開口を壁部５８によって閉塞して、配線挿入開口５５の幅広側のみに溝端開口５７を設けてもよい。さらに、図２４（Ｂ）に示すように、配線受容溝５０の溝端開口を両方とも壁部５８，５８によって閉塞してもよい。
【符号の説明】
【００６３】
１０    パチンコ遊技機（遊技機）
１３    表示電飾枠（電気的部品）
１６    発光制御回路（電気的部品）
４０    裏セット盤（ベース体、仕切盤）
４２    囲壁
５０    配線受容溝
５１，５２    溝内側面
５３    溝底部
５４    配線規制突片
５５    配線挿入開口
５６    配線収納空間
５７，５７    溝端開口
６０    ケーブル（配線部材）
Ｌ１    溝貫通方向
【図１】
2013017567.tif 000003
【図２】
2013017567.tif 000004
【図３】
2013017567.tif 000005
【図４】
2013017567.tif 000006
【図５】
2013017567.tif 000007
【図６】
2013017567.tif 000008
【図７】
2013017567.tif 000009
【図８】
2013017567.tif 000010
【図９】
2013017567.tif 000011
【図１０】
2013017567.tif 000012
【図１１】
2013017567.tif 000013
【図１２】
2013017567.tif 000014
【図１３】
2013017567.tif 000015
【図１４】
2013017567.tif 000016
【図１５】
2013017567.tif 000017
【図１６】
2013017567.tif 000018
【図１７】
2013017567.tif 000019
【図１８】
2013017567.tif 000020
【図１９】
2013017567.tif 000021
【図２０】
2013017567.tif 000022
【図２１】
2013017567.tif 000023
【図２２】
2013017567.tif 000024
【図２３】
2013017567.tif 000025
【図２４】
2013017567.tif 000026